(57)【要約】【課題】木造住宅の長寿命化に対応したサッシ窓であって、サッシ枠が容易に取り替え可能であるとともに、水密性がよくて外観の意匠性もよく、また施工性にも優れるサッシ窓。【解決手段】建物を構成する木製の柱１間に設置するサッシ窓であって、上枠６ａ、下枠６ｂ及び左右の縦枠６ｃとを方形状に枠組みしてなり、前記左右の縦枠６ｃは前記柱１の見込み面内に配置されるともに、縦枠６ｃの見付け方向内側から柱１に向かって固着具で固着されてなり、上記縦枠６ｃの室外側端部と前記柱１間には一次シールが施されている。【選択図】図２
2010248765.tif 000002
【特許請求の範囲】
【請求項１】
上枠と下枠と左右の縦枠とを方形状に枠組みしたサッシ枠の内側に障子を配したサッシ窓であって、建物を構成する木製の柱間に設置され、前記左右の縦枠は前記柱の見込み面内に配置されるともに、縦枠の見付け方向内側から柱に向かって固着具で固着されてなり、上記縦枠の室外側端部と前記柱間には一次シールが施されていることを特徴とするサッシ窓。
【請求項２】
前記左右の縦枠の室外側端部近傍の柱にはシール受け材が設けられ、該シール受け材と前記縦枠間には二次シールが施されていることを特徴とする、請求項１に記載のサッシ窓。
【請求項３】
前記上枠は、上枠の見付け方向内側からまぐさ又は胴差に向かって固着具で固着されてなり、該上枠の室外側端部と前記まぐさ又は胴差間には一次シールが施されているとともに、前記上枠の室外側端部近傍のまぐさ又は胴差にはシール受け材が設けられ、該シール受け材と上枠間には二次シールが施されていることを特徴とする、請求項１又は２に記載のサッシ。
【請求項４】
前記下枠は、土台又は窓台の上面に設けられた水切り材の上部に配置され、該下枠の室内側立上り片よりも室内側に形成された取付片から前記土台又は窓台に向かって固着具で固着されるとともに、該下枠の室外側端部と前記水切り材間にはシールが施されていることを特徴とする、請求項１〜３のいずれかに記載のサッシ窓。
【請求項５】
前記縦枠の室外側端部と前記柱間には、前記縦枠と前記柱との間の間隔を保持するとともに前記一次シールを受けるためのスペーサが配置されていることを特徴とする、請求項１〜４のいずれかに記載のサッシ窓。
【発明の詳細な説明】
【技術分野】
【０００１】
本発明は、木造住宅の長寿命化に対応したサッシ窓に関する。
【背景技術】
【０００２】
一般に、建物の開口部に設けられるサッシ窓としては、開口部の内周面に納まる内付けサッシ（特許文献１参照）、一部が開口部から室外側に突出して設けられる半外付けサッシ（特許文献２参照）及びほとんどの部分が開口部から室外側に突出して設けられる外付けサッシ（特許文献３参照）が知られている。これら各タイプのサッシ窓はいずれも建物躯体の室外側面に当接して、サッシ枠を開口部に取り付けるための「取付フィン」を備えており、取付フィンを建物躯体を構成する窓台、まぐさ、柱等の室外側の面に当接させ、取付フィンを木ネジで建物躯体に固着し、さらに取付フィンを外壁で覆って外部から見えないようにしていた。
【０００３】
ところで、近年は「超長期住宅先導的モデル事業」への取り組みが積極的に進められ、住宅の長寿命化が図られるようになってきており、サッシ窓においても、住宅の長寿命化に対応して容易に取替え可能なものが求められている。
【先行技術文献】
【特許文献】
【０００４】
【特許文献１】実開平３−１０５５７６号公報
【特許文献２】特開平１１−３４３７７７号公報
【特許文献３】２００３−１３８８４６号公報
【発明の概要】
【発明が解決しようとする課題】
【０００５】
しかしながら、従来のサッシ窓のサッシ枠を取り替えるには、取付フィンを建物躯体から外さなければならない。取付フィンは外壁の内側に収まっているから、取付フィンを外すためには、まず外壁を壊さなければならなかった。このため、サッシ窓を新しいものに交換する作業は大規模なものにならざるを得ないという問題がある。
【０００６】
本発明は、上記問題点を解消し、木造住宅の長寿命化に対応したサッシ窓であって、サッシ枠を容易に取り替えることができるとともに、水密性がよくて外観の意匠性にも優れるサッシ窓を提供することをその課題とする。
【課題を解決するための手段】
【０００７】
前記課題を解決するため、請求項１に係る発明は、上枠と下枠と左右の縦枠とを方形状に枠組みしたサッシ枠の内側に障子を配したサッシ窓であって、建物を構成する木製の柱間に設置され、前記左右の縦枠は前記柱の見込み面内に配置されるともに、縦枠の見付け方向内側から柱に向かって固着具で固着されてなり、上記縦枠の室外側端部と前記柱間には一次シールが施されていることを特徴とする。
【０００８】
請求項２に係る発明は、請求項１において、前記左右の縦枠の室外側端部近傍の柱にはシール受け材が設けられ、該シール受け材と前記縦枠間には二次シールが施されていることを特徴とする。
【０００９】
請求項３に係る発明は、請求項１又は２において、前記上枠は、上枠の見付け方向内側からまぐさ又は胴差に向かって固着具で固着されてなり、該上枠の室外側端部と前記まぐさ又は胴差間には一次シールが施されているとともに、前記上枠の室外側端部近傍のまぐさ又は胴差にはシール受け材が設けられ、該シール受け材と上枠間には二次シールが施されていることを特徴とする。
【００１０】
請求項４に係る発明は、請求項１〜３のいずれかにおいて、前記下枠は、土台又は窓台の上面に設けられた水切り材の上部に配置され、該下枠の室内側立上り片よりも室内側に形成された取付片から前記土台又は窓台に向かって固着具で固着されるとともに、該下枠の室外側端部と前記水切り材間にはシールが施されていることを特徴とする。
【００１１】
請求項５に係る発明は、請求項１〜４のいずれかにおいて、前記縦枠の室外側端部と前記柱間には、前記縦枠と前記柱との間の間隔を保持するとともに前記一次シールを受けるためのスペーサが配置されていることを特徴とする。
【発明の効果】
【００１２】
請求項１に係る発明によれば、サッシ枠の左右の縦枠は、柱の見込み面内に配置され、木製の柱が強調される構成であるから、外観の意匠性に優れるデザインとなる。また、縦枠はその見付け方向内側から柱に向かって固着具で固着されるから、縦枠を取り外すときは、固着具を縦枠の見付け方向内側に外せばよく、外壁を壊すような工事は全く必要がないので、縦枠を容易に取り外すことができ、施工性にも優れる。さらに、縦枠の室外側端部と柱間には一次シールが施されているので、水密性がよい。したがって、住宅の長寿命化に対応したサッシ窓を提供することができる。
【００１３】
請求項２に係る発明によれば、サッシの左右の縦枠の室外側端部近傍の柱にはシール受け材が設けられ、シール受け材とサッシ縦枠間には二次シールが施されているので、さらに水密性が高まり、外観の意匠性もよいサッシ窓となる。
【００１４】
請求項３に係る発明によれば、サッシ窓の上枠は、上枠の見付け方向内側からまぐさ又は胴差に向かって固着具で固着されてなり、上枠の室外側端部とまぐさ又は胴差間には一次シールが施され、上枠の室外側端部近傍のまぐさ又は胴差にはシール受け材が設けられ、シール受け材と上枠間には二次シールが施されているので、サッシ枠が容易に取替え可能であるとともに、水密性が良くて外観の意匠性もよく、また施工性にも優れ、さらに、下枠の見付け方向内側から、土台又は窓台に向かって固着具で固着しないので、土台又は窓台への雨水の浸入が防止されて、下枠本体に孔を明けてない防水性のよいサッシ窓となる。
【００１５】
請求項４に係る発明によれば、サッシ窓の下枠は、水切り材の上面に載置され、下枠の室内側立上り片よりも室内側に形成された取付片から土台又は窓台に向かって固着具で固着されており、下枠の室外側端部と水切り材間にはシールが施されているので、サッシ枠が容易に取替え可能であるとともに、水密性がよく、外観の意匠性もよく、また施工性にも優れたサッシ窓となる。
【００１６】
請求項５に係る発明によれば、縦枠の室外側端部と前記柱間には、前記縦枠と前記柱との間の間隔を保持するとともに前記一次シールを受けるためのスペーサが配置されているので、建物開口部とサッシ枠との寸法調整とシール受けとを兼用することができる。
【図面の簡単な説明】
【００１７】
【図１】本発明に係るサッシ窓の縦断面図
【図２】図１のサッシ窓の横断面図
【図３】他の実施形態の横断面図
【発明を実施するための形態】
【００１８】
以下に、本発明の実施形態を図面によって説明する。図１は本発明に係るサッシ窓の縦断面図、図２は図１のサッシ窓の横断面図である。
【００１９】
上図において符号１は建物を構成する木製の柱、２は窓台、３はまぐさを示す。柱１と窓台２とまぐさ3とによって建物開口部が形成されている。
【００２０】
柱１は室外側に露出し、壁の仕上げは真壁納まりとなっている。窓台２は段状に形成され、上面には防水材４と水切り材５が設けられている。7ａは水切り補強材である。また、窓台２の中間部には金属製の補強材７が配置されている。まぐさ３は、柱１と窓台２と同じ見込み幅寸法を有し、室外側と室内側の面は柱１と窓台２と面一になっている。
【００２１】
上記柱１間にはサッシ窓が設置されている。サッシ窓は上枠６ａと下枠６ｂと左右の縦枠６ｃとを方形状に枠組みしてなるサッシ枠の内側に障子８、９を配したもので、上枠６ａ、下枠６ｂ及び縦枠６ｃはいずれもアルミニウム製の金属部ａと合成樹脂製の樹脂部ｂとから構成されている。同様に、障子８、９も金属部と樹脂部とを一体的に結合した構成となっている。
【００２２】
上枠６ａは、室外側に網戸案内レール１１、中間部と室内側にそれぞれ外障子と内障子の案内レール１２、１３をそれぞれ垂下形成したもので、中間部の外障子案内レール１２は金属部ａと樹脂部ｂとを重合した構成であり、室内側の内障子案内レール１３は金属部ａの周囲を樹脂部ｂによって覆っている。また、樹脂部ｂの室内側の端部には見切り片１４が形成されている。なお、網戸案内レール１１と外障子案内レール１２との間には、木ネジ（固着具）１５を挿通可能な室外側固着部１６が形成され、樹脂部ｂの内障子案内片１３と見切り片１４との間には金属部ａを含む室内側固着部１７が形成されている。室外側固着部１６は上枠本体１８に対して一段低く形成されている。
【００２３】
下枠６ｂは、室外側に網戸案内レール２０、中間部と室内側にそれぞれ外障子と内障子の戸車を載せる摺動レール２１、２２をそれぞれ起立形成したもので、内外の摺動レール２１、２２間と室内側は樹脂部ｂによって構成されている。また、樹脂部ｂの室内側の端部には立上り片２３が形成されている。なお、室内側立上り片２３の下端には木ネジ１５を挿通可能な取付片２４が形成されている。
【００２４】
左右の縦枠６ｃは、それぞれ中間部分に外障子８又は内障子９の気密材２５と係合可能な当接片２６を形成した金属部ａの室内側に樹脂部ｂを重合したもので、金属部ａの室内外端部には外方に突出する突片２７が形成されている。樹脂部ｂの室内側端部には見切り片２８が内方に突出形成されている。なお、縦枠６ｃの室外側と室内側には木ネジ１５を挿通可能な固着部３０、３１が形成されている。
【００２５】
上記上枠６ａと下枠６ｂと左右の縦枠６ｃとを方形状に枠組みしたサッシ窓の見込み寸法は、建物開口部の見込み寸法よりも小さくなるように設定されている。
【００２６】
次に、上記サッシ枠を建物開口部内に取り付ける場合、上枠６ａは長尺のスペーサ３２を介してまぐさ３の下面に当接し、その見付け方向内側からまぐさ３に向かって室外側固着部１６と室内側固着部１７とから挿通した木ネジ１５によって固着される。なお、長尺のスペーサ３２と室外側固着部１６とまぐさ３との間には、室外側に開口する一次シール用凹部３３が形成されている。
【００２７】
下枠６ｂは、窓台２の上面に設けられた水切り材５と補強材７の上部に配置され、下枠６ｂの室内側立上り片２３よりも室内側に形成された取付片２４から窓台２に向かって木ネジ１５で固着される。木ネジ１５の上部には床材３４が配置されている。床材３４は立上り片２３の上端と略面一になっている。
【００２８】
縦枠６ｃは、柱１の見込み面内に配置されるともに、縦枠６ｃと柱１との間の間隔を調整して保持する長尺のスペーサ３５を介して柱１の側面に当接している。また、室内外の突片２７の内側には縦枠６ｃと長尺のスペーサ３５との間の間隔を保持する短尺のスペーサ３６が配され、これらの短尺のスペーサ３６は上記長尺のスペーサ３５に当接している。そして、室外側と室内側の固着部３０、３１はその見付け方向内側から柱１に向かって木ネジ１５で固着される。なお、短尺のスペーサ３６と長尺のスペーサ３５と縦枠６ｃの突片２７と縦枠６ｃとの間には、室外側に開口する一次シール用凹部３３が形成されている。このように、長尺のスペーサ３５は、縦枠６ｃと柱１との間の間隔を調整するとともに一次シールを受けるためのシール受けとを兼用することができる。なお、スペーサを短尺にするか長尺にするかは、サッシ枠の断面形状により適宜設定すればよい。
【００２９】
次に、上記上枠６ａと縦枠６ｃの室外側には、シールが施されている。すなわち、まず上枠６ａと縦枠６ｃの室外側に形成された一次シール用凹部３３にシーリング材３８を打ち込むことにより一次シールが施されている。なお、下枠６ｂの室外側端部と水切り材５間にもシーリング材３８を打ち込むことにより一次シールが施されている。
【００３０】
また、上枠６ａと縦枠６ｃの室外側にはアングル状のシール受け材４０が門形に固定され、上枠６ａのシール受け材４０と一次シールと上枠６ａの網戸案内レール１１との間及び縦枠６ｃのシール受け材４０と一次シールと縦枠６ｃの突片２７との間には、それぞれ内方に開口する二次シール用凹部４１が形成され、これらの二次シール用凹部４１にはシーリング材３８を打ち込むことにより二次シールが施されている。
【００３１】
さらに、サッシ窓には外障子８と内障子９が摺動自在に配設され、これにより、サッシ窓が完成する。このサッシ窓には柱１の室外側に外壁材を施す必要がなく、このため柱１が直接に外部に露出する。したがって外観がよい。なお、障子は必ずしも開閉できる構成でなくてもよい。
【００３２】
上述の構成によれば、建物開口部にサッシ枠を取り付けるときは、上枠６ａは下から室外側固着部１６と室内側固着部１７に対して下方から挿通した木ネジ１５でまぐさ３に固着し、下枠６ｂは取付片２４に対して上方から挿通した木ネジ１５で窓台２に固定し、縦枠６ｃは室外側と室内側の固着部３０、３１から柱１に向かって木ネジ１５で固着すればよい。いずれも各枠材の見付け方向内側から開口部の内周面に向かって固着すればよい。しかも、従来のように取付フィンを木ネジで固着した後に、室外側の取付フィンを外壁で覆う必要がないので、作業を比較的簡単に行うことができる。そして、上記サッシ枠を取り外すときは、上記とは逆に、上枠６ａ、下枠６ｂ及び縦枠６ｃの各枠材を固着した木ネジ１５を逆回転させながら見付け方向内側に向かって抜き出せばよいので、取り外し作業も容易に行うことができる。したがって、開口部の周縁材を壊したり加工したりすることなくサッシ枠を容易に取り替えることができる。よって、木造住宅の長寿命化に対応したサッシ窓を提供することができる。
【００３３】
また、サッシ窓の上枠６ａと縦枠６ｃは、その見付け方向内側からまぐさ３と柱１間に一次シールが施されているので、水密性が良い。さらに、上枠６ａと縦枠６ｃの室外側端部近傍のまぐさ３と柱１にはシール受け材４０が設けられ、これらのシール受け材４０と上枠６ａ、縦枠６ｃ間には二次シールが施され、二段シール構成となっているので水密性はさらに向上する。また、二次シールの室外側にはシール受け材４０が設けられ、二次シールは外部からはシール受け材４０によって覆われ、直接には外部に露出しないので、外観の意匠性も向上する。
【００３４】
次に、図３は建物の柱１を見せないで仕上げる大壁納まりとした場合の実施形態の横断面図である。この形態では、外壁４３が柱１を隠すように納まる点が上述の真壁納まりと異なるだけなので、縦断面図は省略する。
【００３５】
サッシ枠の縦枠６ｃは前述の形態と同じで、柱１の見込み面内に配置されるともに、縦枠６ｃと柱１との間の間隔を保持する長尺のスペーサ３５を介して柱１の側面に当接している。また、室内外の突片２７の内側には縦枠６ｃと長尺のスペーサ３５との間の間隔を保持する短尺のスペーサ３６が配され、これらの短尺のスペーサ３６は上記長尺のスペーサ３５に当接している。そして、室外側と室内側の固着部３０、３１でその見付け方向内側から柱１に向かって木ネジ１５で固着される。なお、短尺のスペーサ３６と長尺のスペーサ３５と縦枠６ｃの突片２７と縦枠６ｃとの間には、室外側に開口する一次シール用凹部３３が形成されている。
【００３６】
また、縦枠６ｃの室外側にはアングル状のシール受け材４０が固定され、縦枠６ｃのシール受け材４０と一次シールと縦枠６ｃの突片２７との間には、それぞれ内方に開口する二次シール用凹部４１が形成され、これらの二次シール用凹部４１にはシーリング材３８を打ち込むことにより二次シールが施されている。シール受け材４０の室外側は外壁４３で覆われている。
【００３７】
なお、上枠６ａと下枠６ｂも前述と同様の要領で開口部に固着されているので、説明は省略する。
【００３８】
大壁納まりでは柱１の寸法は真壁納まりに比べて小さいので、縦枠６ｃ及び上枠６ａのシール受け材４０は少し室外側に突出する。突出部分は柱１の室外側に設けられる外壁材によって覆われる。
【００３９】
上記構成においても、建物開口部にサッシ枠の縦枠６ｃを取り付けるときは、室外側と室内側の固着部３０、３１から柱１に向かって木ネジ１５で固着すればよい。上枠６ａと下枠６ｂも前述の形態と同様である。いずれも各枠材の見付け方向内側から開口部の内周面に向かって固着すればよい。そして、サッシ枠を取り外すときは、上枠６ａ、下枠６ｂ及び縦枠６ｃの各枠材を固着した木ネジ１５を逆回転させながら見付け方向内側に向かって抜き出せばよいので、取り外し作業も容易に行うことができる。シール受け材４０も同様である。したがって、開口部の周縁材を壊したり加工したりすることなくサッシ枠を容易に取り替えることができ、木造住宅の長寿命化に対応したサッシ窓を提供することができる。
【００４０】
なお、上述の実施形態で示した建物開口部は左右の柱１と窓台２とまぐさ３とによって構成されるものであるが、本発明はこれに限定されない。左右の柱１と土台と胴差とによって構成される形態であってもよい。
【００４１】
また、サッシ枠と障子も、上述のような金属部と樹脂部とを複合させた構成であるものに限定されない。
【符号の説明】
【００４２】
１    木製の柱
６ａ  上枠
６ｂ  下枠
６ｃ  縦枠
３０  室外側固着部
３１  室内側固着部
３３  一次シール用凹部
４０  シール受け材
４１  二次シール用凹部
【図１】
2010248765.tif 000003
【図２】
2010248765.tif 000004
【図３】
2010248765.tif 000005